(57)【要約】【課題】小流量域においてその流量を正確に計測でき、併せて特段の専門的な知識や技術がなくても簡便に桝内に設置したり、また取り外したりすることができるようにする。【解決手段】内周が流水流入端側９から流水流出端側１０に向かうに従って順次縮径してその縮径側端部が流量計測断面として卵形に形成された筒形フリューム本体１１とこの筒形フリューム本体１１の前記縮径側端部に一体に接続された傾斜導流部１２とを備え、前記筒形フリューム本体１１はパンタグラフ素子１８によって前記流水流入端側９が管路の内径に合わせて拡縮自在に構成され、この流水流入端側９の外周に設けられた止水部材１４によって、水路の内面に水密的に装着可能に構成されている。【選択図】    図１
0003200081.tif 000002
【実用新案登録請求の範囲】
【請求項１】
内周が流水流入端側から流水流出端側に向かうに従って順次縮径する筒形フリューム本体とこの筒形フリューム本体の流量計測断面としての縮径側端部に一体に接続された導流部とを備え、前記筒形フリューム本体は拡縮素子によって前記流水流入端側が管路の内径に合わせて拡縮自在に構成され、この流水流入端側の外周に設けられた止水部材によって、水路の内面に水密的に装着可能に構成されていることを特徴とするベンチュリーフリューム。
【請求項２】
導流部は流水流出端側ほど下位に傾斜させてある請求項１記載のベンチュリーフリューム。
【請求項３】
筒形フリューム本体の流水流入端側が円形で、流量計測断面としての縮径側端部は卵形に形成されている請求項１又は２のいずれかに記載のベンチュリーフリューム。
【請求項４】
筒形フリューム本体の流量計測断面としての縮径側端部は半円弧状に形成された大径の上縁部と劣弧状に形成された小径の下縁部の両端部間が円弧状の側縁部で接続されて長軸を上下方向に向けた断面逆卵形に形成されている請求項１又は２のいずれかに記載のベンチュリーフリューム。
【請求項５】
拡縮素子は筒形フリューム本体に一体的に設けられたパンタグラフ素子である請求項１〜４のいずれかに記載のベンチュリーフリューム。
【請求項６】
請求項１〜５のいずれか１項に記載のベンチュリーフリュームは、桝の下流側管路内に、筒形フリューム本体を流水上流側に位置させ、また、導流部を流水下流側に位置させて嵌挿されるようにした桝用ベンチュリーフリューム。
【請求項７】
前記１〜６のいずれか１項に記載のベンチュリーフリュームと、流量を測定するため前記ベンチュリーフリュームの上流側の桝内の水位を測定する水位センサ並びに計測演算・表示部を備えたポータブル型流量計を備えてなる流量計測装置。
【考案の詳細な説明】
【技術分野】
【０００１】
本考案は、例えば家庭排水、事業排水或いは用水・廃水などの、作業員などが入り込む大きさが備わっていない大きさの、言わば桝のような小流量の流下量を計測するために適用されるベンチュリーフリュームとこれを用いた流量計測装置に関する。
【背景技術】
【０００２】
従来、マンホール内、管渠内、大型処理施設内等の流量を計測するためのベンチュリーフリューム並びに流量計、即ちフリューム式流量計は存在していた。そして、前記マンホール、管渠、大型処理施設等は何れもが作業員が内部に入って作業できる大きさのものであって、前記フリューム式流量計もその大きさに対応した大型のものであった（特許文献１、２参照）。
【０００３】
因みにフリューム式流量計は、水路の途中を絞って、下流の影響を少なくし、水深に対する重力の加速度を利用して平均流速を計算して流量を計るようにしてあるので、堰による手法に比べて水路断面を遮る程度がわずかで、上流側へのせき上げも少ないので水路の流量計測にすぐれる。
【先行技術文献】
【特許文献】
【０００４】
【特許文献１】特開２００５−３０８８１号公報
【特許文献２】実用新案登録第３０６１７１５号公報
【考案の概要】
【考案が解決しようとする課題】
【０００５】
ところで、前記フリューム式流量計は、先にも記したとおり、例えば複数の住宅エリアにまたがって配置された大流量域の流路に配され、これを計測するには適している。
しかし、家庭排水や事業排水或いは用水・廃水などの小流量域では正確な流量の計測が行えない。従って、従来の大型の流量計を単純にこの小流量域の計測器として適用することはできず、今まで、この点の開発、改良がなおざりにされていた。また、従来はこの小流量域での計測そのものがあまり重視されていなかった。
【０００６】
しかし、近年になって、この小流量域の計測の必要性がにわかに大きくなり、小流量域にマッチした殊にベンチュリーフリュームの開発が望まれている。
【０００７】
本考案は、斯かる従来技術の問題点と近年の上記の如き必要性に鑑みて発案されたもので、その第一の目的は、小流量域においてその流量を正確に計測でき、併せて特段の専門的な知識や技術がなくても簡便に桝内に設置したり、また取り外したりすることができるベンチュリーフリュームとこれを用いた流量計測装置を提供することである。また、第二の目的は、多少の下水管などの径の差にはかかわりなく水密的に的確に設置できるようにすることにある。
【課題を解決するための手段】
【０００８】
上記の目的を達成するため、本考案によるベンチュリーフリュームは、内周が流水流入端側から流水流出端側に向かうに従って順次縮径する筒形フリューム本体とこの筒形フリューム本体の流量計測断面としての縮径側端部に一体に接続された導流部とを備え、前記筒形フリューム本体は拡縮素子によって前記流水流入端側が管路の内径に合わせて拡縮自在に構成され、この流水流入端側の外周に設けられた止水部材によって、水路の内面に水密的に装着可能に構成されている（請求項１）。
【０００９】
ベンチュリーフリュームにおいて、請求項１記載の導流部が流水流出端側ほど下位に傾斜させてあるのが望ましい（請求項２）。
【００１０】
また、ベンチュリーフリュームにおいて、請求項１記載の筒形フリューム本体の流水流入端側が円形で、流量計測断面としての縮径側端部は卵形に形成されているのが望ましい（請求項３）。
【００１１】
更に、ベンチュリーフリュームにおいて、筒形フリューム本体の流量計測断面としての縮径側端部が半円弧状に形成された大径の上縁部と劣弧状に形成された小径の下縁部の両端部間を円弧状の側縁部で接続されて長軸を上下方向に向けた断面逆卵形に形成されているのが望ましい（請求項４）。
【００１２】
また、ベンチュリーフリュームにおいて、拡縮素子は筒形フリューム本体に一体的に設けられたパンタグラフ素子であるのが望ましい（請求項５）。
【００１３】
また、ベンチュリーフリュームにおいて、請求項１〜５のいずれか１項に記載のベンチュリーフリュームが、筒形フリューム本体を流水上流側に位置させ、また、導流部を流水下流側に位置させて桝の下流側管路内に嵌挿されるようにした（請求項６）。
【００１４】
更に、上記の目的を達成するために、本考案による流量計測装置は、請求項１〜６のいずれか１項に記載のベンチュリーフリュームと、流量を測定するため前記ベンチュリーフリュームの上流側の桝内の水位を測定する水位センサ並びに計測演算・表示部を備えたポータブル型流量計を備えて構成した（請求項７）。
【考案の効果】
【００１５】
この考案の請求項１〜６に係る考案では、小流量域においてその流量を正確に計測でき、併せて特段の専門的な知識や技術がなくても簡便に桝内に設置したり、また取り外したりすることができ、併せて多少の下水管などの径の差にはかかわりなく水密的に的確に設置できるベンチュリーフリュームが得られる。
【００１６】
即ち、請求項１〜６に係る考案のベンチュリーフリュームは、桝の上部の開口部から水路内にセットする。セットするに当たっては、前記筒形フリューム本体の流水流入端側の開口径をこの水路の管径よりもやや小径になるように前記拡縮素子を作動させることによって適宜に調整する。次いで、このベンチュリーフリュームをその導流部側から管路内に、水平度を保ちながら所定の深さにまで挿入する。挿入が完了したら、再び前記拡縮素子を操作して前記止水部材が水路の内縁にしっかり密着するように筒形フリューム本体の流水流入端側の開口径を適宜に拡開して、水路内に固定する。
【００１７】
従って、水路から桝内へ至った流水は前記ベンチュリーフリュームの筒形フリューム本体の流水流入端側から流入し、順次絞られて流水流出端側へと流速を増しつつ流れ、射流となり、引き続き導流部から水路へ流下してゆく。このとき筒形フリューム本体の流量計測断面としての前記流水流出端側、つまり前記縮径側端部が流れの絞りとして働き、当該部位で限界水深が生じ、下流からの影響を受けなくなるので、上流側特定部位、つまりは桝内の水深と流速は一定の関数関係が生じる。従って、この上流側特定部位の水深を適宜流量計の水位センサなどを用いることによって、簡便に筒形フリューム本体１１を流れる流水の流量を計測できる。
【００１８】
また、請求項２に係る考案では、導流部を流水流出端側ほど下位に傾斜させてあるので、前記筒形フリューム本体の前記流水流出端側に夾雑物が堆積して背水を引き起こし計測水位に悪影響が生じるおそれを上手く解消でき、正確な流量の測定が可能になる。
【００１９】
また、請求項３に係る考案では、筒形フリューム本体の流水流入端側が円形で、流量計測断面としての縮径側端部は卵形に形成されているので、流量が少ない時でも水深が得られ、夾雑物の掃流力が確保され、正確な流量の測定に資すことができる。特に請求項４に係る考案のように、前記筒形フリューム本体の流量計測断面としての縮径側端部が、半円弧状に形成された大径の上縁部と劣弧状に形成された小径の下縁部の両端部間を円弧状の側縁部で接続されて長軸を上下方向に向けた断面逆卵形に形成されていると、流量が少なくても水深を大きくするという現象を顕著に現出でき、一層正確な流量の測定に資すことができる。
【００２０】
更に、請求項５に係る考案では、拡縮素子は筒形フリューム本体に一体的に設けられたパンタグラフ素子であるので、桝上部の開口部からの前記筒形フリューム本体の前記流水流入端側の拡縮操作を簡便に、また、その操作力を的確に伝えることができ、併せてベンチュリーフリュームの水路への挿脱作業が簡便に行える。
【００２１】
また、請求項６に係る考案では、請求項１〜５のいずれか１項に記載のベンチュリーフリュームは、筒形フリューム本体を流水上流側に位置させ、また、導流部を流水下流側に位置させて桝の下流側水路内に嵌挿されるようにしたので、桝上部の開口部からの前記筒形フリューム本体の前記下流側水路への挿脱作業を格段に簡便に行え、水位センサや流量計の配置位置の選定も容易で、計測に関わる作業が簡便になる。
【００２２】
更に、請求項７に係る考案では、請求項１〜６のいずれか１項に記載のベンチュリーフリュームと、流量を測定するため前記ベンチュリーフリュームの上流側の桝内の水位を測定する水位センサ並びに計測演算・表示部を備えたポータブル型流量計を備えて構成したので、先ず、前記ベンチュリーフリュームを管路内に、水平度を保ちながら所定の深さにまで挿入した後、前記桝の開口部の上縁に前記架台を水平になるようにセットし、この架台に前記ポータブル型流量計をセットすることによって、桝６内の流量を簡便、手軽に計測できる。その結果、特段の専門的な知識や技術がなくても簡便に桝内に設置したり、また取り外したりすることができ、小流量域においてその流量を正確に計測できる。
【図面の簡単な説明】
【００２３】
【図１】本考案の実施形態の一例を示すベンチュリーフリュームを用いた流量計測装置の基本構成を説明する説明側面図である。
【図２】図１に示す基本構成の説明平面図である。
【図３】筒形フリューム本体を拡開したときのベンチュリーフリュームとパンタグラフ素子の正面図である。
【図４】筒形フリューム本体を拡開したときのベンチュリーフリューとパンタグラフ素子の背面図である。
【図５】筒形フリューム本体を構成する本体部分の展開図である。
【図６】パンタグラフ素子の拡大側面図である。
【図７】筒形フリューム本体を縮径したときのベンチュリーフリュームとパンタグラフ素子の正面図である。
【図８】計測の作用状態を示す説明側面図である。
【考案を実施するための形態】
【００２４】
以下、ベンチュリーフリュームとこれを用いた流量計測装置を家庭用排水の桝に適用した場合の形態について、添付図面を参照して説明する。
【００２５】
図１は、本考案に係るベンチュリーフリュームを用いた流量計測装置の基本構成を示す説明側面図、図２は図１に示す基本構成の説明平面図である。
【００２６】
この流量測定装置１は、この実施例にあっては、ベンチュリーフリューム２と水位センサ３と計測演算・表示部４を備えたポータブル型流量計５で構成される。
前記流量測定装置１の前記ベンチュリーフリューム２は桝６内に連通開口されている上流側流水路７と下流側流水路８の内の下流側流水路８に着脱自在に嵌装設置され、またポータブル型流量計５の、例えば超音波式或いは触針式などの適宜の水位センサ３は桝６の開口部に６Ａに配置した架台６Ｂ上に配置され、更に桝内にこの水位センサ３に接続された前記ポータブル型流量計５が配置されて用いられる。
【００２７】
前記ベンチュリーフリューム２は、内周が流水流入側端側９から流水流出端側１０に向かうに従って順次縮径する筒形フリューム本体１１とこの筒形フリューム本体１１の前記流水流出端側１０の流量計測断面としての縮径側端部１０Ａに一体に接続された導流部１２とを備え、前記筒形フリューム本体１１は、パンタグラフ機構を用いた拡縮素子１３によって前記流水流入端側９が前記下流側流路８の内径に合わせて拡縮自在に構成されている。また、その流水流入端側９の外周に設けられた止水部材１４によって、前記下流側流路８の管路内面に水密的に装着可能に構成されている。
【００２８】
前記筒形フリューム本体１１は、図３に示すように、流水流入端側９が略円形で、流水流出端側１０は断面逆卵形に形成され、この逆卵形の流水流出端側１０の流量計測断面としての流量計測断面としての縮径側端部１０Ａから流水下流に向かって、図１、２、４に示すように、前記導流部１２が一体に取り付けられている。また、この導流部１２はその流水下流側程下位になるような傾斜姿勢に構成されていると共に、上方のほぼ５分の１周長部位が全長にわたって開放１２Ａされている。
【００２９】
また、前記筒形フリューム本体１１と前記導流部１２の接続部分には、流量計測断面形状を保持するために、図１、２、４に示すように、リング状に形成された逆卵形補強板１５が一体に接続されている。即ち、内側は逆卵形に穿設された流通孔１５Ａを備え、上方部分は所定幅切断して縁切り部１５Ｂが設けられて、いわば馬蹄形を呈している。前記流通孔１５Ａは筒形フリューム本体１１の流水流出端側１０の逆卵型と同一形状でほぼ同じ大きさに形成されている。この逆卵形補強板１５はその名の通り、この筒形フリューム本体１１の流水流出端側１０の逆卵型を的確に保つ機能を果たすもので、溶接などの適宜の固定手段で取付けられる。
【００３０】
尚、詳細は後述するが、前記導流部１２の上方が開放１２Ａされているのと前記逆卵形補強板１５が馬蹄形に形成されているのは、筒形フリューム本体１１の拡縮を、この導流部１２と逆卵形補強板１５で阻害しないようにし、これらの存在にかかわらず容易に行わせるためである。
【００３１】
従って、図８に示すように、前記筒形フリューム本体１１の流水流出端側１０の流量計測断面としての縮径側端部１０Ａと導流部１２との境部分が流水の絞り部位として機能することになる。その結果、流水を当該部位へ導くと、この絞り部位で限界水深（流速）が生じ、当該絞り部位の水路下流からの影響を受けにくくなるので、上流側特定部位、つまりは桝６内の水深と流速には一定の関数関係が生じ、この上流側特定部位の水深を計ることにより、ベンチュリーフリューム２を流れる流量が上手く計測されることになる。
【００３２】
特に、前記筒形フリューム本体１１の流水流出端側１０が流量計測断面として逆卵形に縮径されていることによって、小流量時の水深が大きく、早い流速が得られ、汚物の掃流力が的確に確保され、また、より正確な計測が可能になる点で、円形や楕円形に比べて遥かに有利に用いられる。
【００３３】
因みに、本実施例において、逆卵形とは、図３に示すように、断面形状において、半円弧状に形成された大径の上縁部１０Ｂと劣弧状に形成された小径の下縁部１０Ｃの両端部間が円弧状の側縁部１０Ｄで接続されて長軸を上下方向に向けて形成された形状をいう。また、その寸法は、正面において、上縁部１０Ｂが半径Ｒの半円、下縁部１０Ｃが半径０．５９Ｒの４分の１円、更に左右の側縁部１０Ｄが半径Ｒの２倍×８分の１の円に構成されている。以上の寸法は適用される桝６の大小、更には嵌挿される下流側水路８の管路の直径の大小によって、最も望ましい寸法のものが適宜に選択される。
【００３４】
筒形フリューム本体１１は、図５の展開図に示すように、両端部１１Ａが円弧状に加工された部分円弧状の本体部材１１Ｂからなる。そして、その流水流出端側の辺縁１１Ｃで、夫々の両端部１１Ａからやや中心側に寄った位置に一対の支軸挿通孔１１Ｄが設けられている。この部分円弧状の本体部材１１Ｂを平らな状態から、両端部１１Ａが互いに近づくようにして、彎曲させると共に、両端部１１Ａが上下に重合する状態で両支軸挿通孔１１Ｄにわたって、図６に示すように、支軸１１Ｅを挿通して、枢支固定する。また、前記両端部１１Ａのやや中央部側には夫々流水流出端側１０から流水流入端側９へ円弧を描いて貫通するスリット１１Ｆが穿設されている一方、前記一対の支軸挿通孔１１Ｄ存在位置から更に中央寄りで、しかも流水流入端側９に寄った位置には夫々ねじ孔１１Ｇが設けられている。一方のスリット１１Ｆにこの一方のスリット１１Ｆが設けられた側とは反対側の前記ねじ孔１１Ｇが、また、逆に他方のスリット１１Ｆにこの他方のスリット１１Ｆを設けた側とは反対側の前記ねじ孔１１Ｇが合致するようにし、夫々のねじ孔１１Ｇに夫々が重なり合うスリット１１Ｆを通して、ねじ１１Ｈが螺合される。ねじ１１Ｈは前記スリット１１Ｆ内をスライドできるようにスリット１１Ｆの幅よりもやや小径の軸部を備えるのが望ましい。これら内外のねじ１１Ｈは、筒形フリューム本体１１の拡縮動作を許容し、併せて筒形フリューム本体１１が拡縮する際に両端部１１Ａの重ね合わせ部において両端部が分離してしまうのを防ぐ。即ち、筒形フリューム本体１１を管路から撤去する際の縮径時には外側、つまり重なり部の上側が縮径による本体部分１１Ｂ自体弾性復元力によって本体部分１１Ｂから上方へ離脱するのを、また、逆に筒形フリューム本体１１を管路内に固定するときの拡径時には内側、つまり重なり部の下側が本体部分１１Ｂから離れるのを夫々防止し、ベンチュリーフリュームの所期の形状を上手く保てるように構成されている。
【００３５】
また、前記両支軸挿通孔１１Ｄの近傍とそれよりも前記両端部１１Ａ寄りでしかも前記流水流入端側９に寄った位置に夫々フリューム本体開閉用アーム取り付け孔１１Ｉが穿設されていて、これらのフリューム本体開閉用アーム取り付け孔１１Ｉに前記拡縮素子１３の拡縮作用を筒形フリューム本体１１へ伝えるフリューム本体開閉用アーム１６が、ビス１７を介して先端と中ほどの二か所で取り付けられている。このフリューム本体開閉用アーム１６の他端、つまり流水流入側の端部は筒形フリューム本体１１の流水流入端側９端よりもさらに流水流入側、つまりは桝内方側へ長く突出する長さを備えている。桝６の上部から拡縮操作をする必要から必然の構成である。このフリューム本体開閉用アーム１６の流水流入側の端部に前記拡縮素子１３の一例としてのパンタグラフ機構１８が接続されている。尚、前記ビス１７に代えて溶接、接着などの手段も採用される。
【００３６】
この拡縮素子１３としてのパンタグラフ機構１８は、図３、４、６に示すように、前記フリューム本体開閉用アーム１６の夫々の流水流入側の端部に９０°向きを変え、且つ回動自在に枢支連結されて上方に立ち上がる一対の第１リンク１９とこの第１リンク１９の上端から上方に向かって延設される一対の第２リンク２０と両リンク１９、２０を拡開収縮させるための螺子棒２１とから構成されている。具体的には、一対の第１リンク１９は上下の中間部で互いにＸ状にクロス重合され、その重合点を枢支ピン２２で回動自在に枢支連結され、この枢支ピン２２を支点として上下両端が互いに接近離間自在となっている。また、第２リンク２０は上端が互いに重合されて枢支ピン２３で回動自在に枢支連結されていると共に、下端が前記第１リンク１９の上端に枢支ピン２４を介して回動自在に枢支連結されている。更に、前記第２リンク２０上端の枢支ピン２３と第１リンク１９の中間の枢支ピン２２の先端を夫々流水流入端側９側に所定寸法突出させると共に、前記第２リンク２０上端の枢支ピン２３の突出端には内部に雌螺子を穿ったスライド駒２５が、また、前記第１リンク１９の中間の枢支ピン２２の突出端には支持駒２６が夫々一体的に設けられている。このスライド駒２５には前記螺子棒２１がその上端を当該スライド駒２５の上端から更に上方へ所定寸法突出させて回動自在に螺合されていると共に、前記支持駒２６には前記螺子棒２１の下端が回動のみ自在に嵌合固定されている。
【００３７】
尚、前記フリューム本体開閉用アーム１６の夫々の流水流入側の端部と第１リンク１９の下端部との連結構造は以下の通りである。
即ち、図６に示すように、前記フリューム本体開閉用アーム１６の夫々の流水流入側の端部を当該端部に設けた鉛直ビス１６Ａとこれに固着されたナット１６Ｂの間で、回動自在に枢支連結させる。また、このナット１６Ｂに水平ナット１９Ａを固着し、この水平ナット１９Ａに前記第１リンク１９の下端を回動自在に枢支連結させる。
【００３８】
従って、この螺子棒２１を回転させることによってスライド駒２５を上下動させる。その結果、図３、４に示すように、スライド駒２５が上動すると前記支持駒２６との間隔が開き、前記第１リンク１９の上端と第２リンク２０の下端との枢支ピン２４を互いに近付けるように第２リンク２０が揺動する。この第２リンク２０の揺動に伴って、前記第１リンク１９もその中間の枢支ピン２２を中心にしてその下端が互いに近付くように揺動される。この第１リンク１９の下端の接近は必然的に前記フリューム本体開閉用アーム１６を互いに近付けるように働く。このフリューム本体開閉用アーム１６が互いに近づく作用は、筒形フリューム本体１１の両端部１１Ａをその前記支軸１１Ｅを中心にして互いを近付けるように、つまり両端部１１Ａ間の距離を縮めるように働き、前記筒形フリューム本体１１の前記流水流入端側９の開口径を拡開するように働く。逆に、前記スライド駒２５が下降すると、図７に示すように、前記支持駒２６との間隔が狭まり、前記第１リンク１９の上端と前記第２リンク２０の下端との前記枢支ピン２４を互いに遠ざけるように前記第２リンク２０が揺動する。この第２リンク２０の揺動に伴って、前記前記第１リンク１９もその中間の前記枢支ピン２２を中心にしてその下端が互いに遠ざかるように揺動される。この第１リンク１９の下端の離間は必然的に前記フリューム本体開閉用アーム１６を互いに遠ざけるように、つまり両端部１１Ａ間の距離を拡げるように働き、前記筒形フリューム本体１１の前記流水流入端側９開口径を収縮するように働く。
【００３９】
また、前記止水部材１４は、図５に示すように、前記筒形フリューム本体１１の流水流入端側９の辺縁外面、つまりは前記下流側水路８の管内壁に接する面には、そのほぼ全周にわたって、この筒形フリューム本体１１の流水流入端側９の拡縮作用を阻害しないように配慮されて貼着されている。更に具体的な形状は、細幅テープ状で、ゴム或いはスポンジなどの素材を細幅に裁断してものが採用され、適宜接着剤などを介して貼着される。更に貼着範囲は、この筒形フリューム本体１１の両端部１１Ａの内、重合された下側の端部は、前記フリューム本体開閉用アーム１６の先端存在定置近くまで配置されている一方、上側の端部はこの端部の辺縁から更に前記流水流出端側１０近くまで配置され、前記下流側水路８の管内壁との間に隙間が可及的に生じないように配慮されている。
【００４０】
このように構成されたベンチュリーフリュームを用いて桝６内の流量を測定する手順について以下説明する。
先ず、前記ベンチュリーフリューム２を桝６の上部の開口部６Ａから下流側水路８内にセットする。セットするに当たっては、前記筒形フリューム本体１１の流水流入端側９の開口径をこの下流側水路８の管径よりもやや小径になるように前記拡縮素子１３の前記螺子棒２１を回転して前記パンタグラフ素子１８を作動させることによって適宜に拡縮調整する（図７）。次いで、このベンチュリーフリューム２をその導流部１２側から下流側水路８内に、水平度を保ちながら所定の深さにまで挿入する。挿入が完了したら、再び前記拡縮素子１３の前記螺子棒２１を回転して前記パンタグラフ素子１８を作動させることによって前記止水部材１４が管路内壁にしっかり密着するように筒形フリューム本体１１の流水流入端側９の開口径を適宜に拡開して（図３、４）、管路内に固定する。ベンチュリーフリューム２を管路内にセットした後は、前記開口部６Ａの上縁に前記架台６Ｂを水平になるようにセットし、この架台６Ｂに前記ポータブル型流量計５をセットする（図１、２）。
【００４１】
従って、図８に示すように、上流側水路７から桝６内へ至った流水は、矢印で示すように、前記ベンチュリーフリューム２の筒形フリューム本体１１の流水流入端側９から流入し、順次絞られて流速を速めつつ流量計測断面としての逆卵形の流水流出端側１０へと流れ、射流となり、引き続き傾斜した導流部１２から下流側水路８へ流下してゆく。このとき前記逆卵形の流水流出端側１０が流れの絞りとして働き、当該部位で限界水深が生じ、下流からの影響を受けなくなるので、上流側特定部位、つまりは桝６内の水深と流速は一定の関数関係が生じる。従って、この上流側特定部位の水深を前記ポータブル型流量計５の水位センサ３で測定し、計測演算・表示部４に結果を表示させることによって、簡便に筒形フリューム本体１１を流れる流水の流量を計測できる。
【００４２】
特に筒形フリューム本体１１の流水流出端側１０の逆卵形形状は、流量が少ない時でも水深が大きく、夾雑物の掃流力が確保され、一層正確な流量の測定に資する。更に、傾斜した導流部１２は筒形フリューム本体１１の流水流出端側１０に夾雑物が堆積して背水を引き起こし計測水位に悪影響が生じるおそれを上手く解消でき、正確な流量の測定に資する。更に、拡縮素子１３を採用することで、筒形フリューム本体１１の管路への設置、離脱、更には、管路内への設置時の水密の確保がこの筒形フリューム本体１１の流水流入端側９の開口径を拡縮させるだけの簡便な作業で簡単に行える。また、前記拡縮素子１３の螺子棒２１を上下方向に向かわせて配置する構成を採用したことによった、狭い桝６内での作業にかかわらず、この拡縮素子１３の操作を大変簡易に行える利点がある。
【００４３】
前記ポータブル型流量計５の計測演算・表示部を備えた本体部分は、桝６の外に据え置かれるタイプでも良く、また必要に応じて現場へ持ち運びする可搬式であっても良い。また、水位センサも他の手段、例えば圧力式なども採用できる。
【産業上の利用可能性】
【００４４】
本考案は家庭用の排水の流量測定に適用それた場合を示したが、同等の目的を達成するものであれば、事業排水、用水・廃水桝の他、下水に限ることなく他の流水を測定するためにも好適に利用できるものである。
【符号の説明】
【００４５】
１…流量計測装置
２…ベンチュリーフリューム
３…水位センサ
５…ポータブル流量計
６…桝
８…下流側水路
９…流水流入端側
１０…流水流出端側
１１…筒形フリューム本体
１２…導流部
１３…拡縮素子
１４…止水部材
１８…パンタグラフ素子
【図１】
0003200081.tif 000003
【図２】
0003200081.tif 000004
【図３】
0003200081.tif 000005
【図４】
0003200081.tif 000006
【図５】
0003200081.tif 000007
【図６】
0003200081.tif 000008
【図７】
0003200081.tif 000009
【図８】
0003200081.tif 000010